(57)【要約】【課題】  ナット１６の締め付けに際して同軸コネクタ１０をコネクタ取付部１００（被取付対象）の裏面側で保持することができない状況下においても、同軸コネクタ１０をコネクタ取付部１００の正面側から保持して、ナット１６の締め付け作業を支障なく行うことを可能とした同軸コネクタ保持用治具２０を提供する。【解決手段】  保持用治具本体２１の先端部側に係合部２３を形成するとともに、基端部側に補助工具装着部２４を形成してある。係合部２３に、同軸コネクタ１０の外側導体１３から突き出したロックピン１４を係合させた状態で、補助工具装着部２４に保持用補助工具２６を装着し、保持用補助工具２６を使って保持用治具本体２１を支えることで、同軸コネクタ１０を保持する。【選択図】      図３
2018147638.tif 000002
【特許請求の範囲】
【請求項１】
外側導体の基部にねじ部を有するとともに、当該外側導体の外周面にロックピンが突き出して設けられた構成を含み、被取付対象の正面側から前記ねじ部にナットを締め付けることで、当該被取付対象に取り付けられる同軸コネクタを対象として、この同軸コネクタを前記被取付対象へ取り付ける際に用いられる保持用治具であって、
前記同軸コネクタを保持するための保持用治具本体と、
前記保持用治具本体に形成され、前記被取付対象の正面側から前記ロックピンに係合する係合部と、を備えたことを特徴とする同軸コネクタ保持用治具。
【請求項２】
前記保持用治具本体は、前記外側導体の外周に先端から嵌め合わせる円筒部を有し、
前記係合部は、前記円筒部の先端から軸方向に延びる溝で形成してあることを特徴とする請求項１の同軸コネクタ保持用治具。
【請求項３】
前記保持用治具本体は、前記円筒部の中空部内に、前記外側導体の先端が当接する当接部を有し、
前記外側導体の先端が前記当接部に当接したとき、前記ロックピンが前記溝の軸方向中間位置に配置されるように、前記当接部と前記溝の底部との間の相対位置を設定するとともに、
前記円筒部の先端から前記当接部までの長さを、前記外側導体の長さよりも短く設定したことを特徴とする請求項２の同軸コネクタ保持用治具。
【請求項４】
前記保持用治具本体は、先端部側に前記円筒部を有するとともに、基端部側に保持用補助工具を装着するための補助工具装着部を形成してあることを特徴とする請求項２又は３の同軸コネクタ保持用治具。
【請求項５】
請求項１乃至４のいずれか一項に記載の同軸コネクタ保持用治具とともに用いて、前記同軸コネクタのねじ部に前記ナットを締め付けることができる同軸コネクタ締付用治具であって、
前記保持用治具本体を挿通する中空部を有する筒状の締付用治具本体と、
前記締付用治具本体の先端部側に形成され、前記ナットに係合するナット係合部と、
前記締付用治具本体の外周面に形成され、当該締付用治具本体を回転させるための締付用工具が係合する締付用工具係合部と、を備えたことを特徴とする同軸コネクタ締付用治具。
【請求項６】
前記締付用工具係合部は、取付対象となる前記同軸コネクタの周囲で、前記被取付対象の正面から突き出す別の同軸コネクタの当該突き出し長さよりも、前記締付用治具本体の先端から離れた位置に少なくとも形成してあることを特徴とする請求項５の同軸コネクタ締付用治具。
【請求項７】
請求項１乃至４のいずれか一項に記載の同軸コネクタ保持用治具と、
請求項５又は６の同軸コネクタ締付用治具と、を備えたことを特徴とする同軸コネクタ取付用治具セット。
【発明の詳細な説明】
【技術分野】
【０００１】
この発明は、電子機器や通信機器などの各種装置に設けたコネクタ取付部（被取付対象）へ、同軸コネクタを取り付ける際に用いられる同軸コネクタ保持用治具、同軸コネクタ締付用治具及びこれらの治具を組み合わせた同軸コネクタ取付用治具セットに関する。
【背景技術】
【０００２】
同軸コネクタは、例えば、電子機器や通信機器などの各種装置において、外部に対する電気信号の入出力部を形成する。同軸コネクタは、様々な形状や構造をしたものがあり、装置への取付方法もそれぞれ相違しているが、一般には、装置に設けたコネクタ取付部へ同軸コネクタを取り付けた後に、装置に内蔵した電子基板などとの接続作業が実施される。そのような作業順序の場合は、コネクタ取付部の裏面側（装置の内側）で同軸コネクタの基部を保持しながら、コネクタ取付部の正面側からナットを締め付けて取り付け作業を行うことができる。
【０００３】
しかし、同軸コネクタがあらかじめ電子基板に組み込まれ、電子基板と一体となって装置のコネクタ取付部へ取り付けられる場合は、コネクタ取付部の裏面側において、同軸コネクタが電子基板に隠れてしまい保持することができない場合がある。
そのため、同軸コネクタを保持することなく、ナットの締め付け作業を実施せざるを得ないが、このような作業方法では、ナットを締め付けた際に、ナットの回転トルクが同軸コネクタに伝わり、同軸コネクタがナットに連れ回りしようとする。
このとき、電子基板が装置の他所に固定されていたり、作業者が電子基板を保持していたりすると、同軸コネクタを介して電子基板にナットの回転トルクが作用し、同軸コネクタや電子基板を損傷するおそれがあった。
一方、電子基板が装置の他所に固定されていなく、作業者によって保持もされていなければ、同軸コネクタがナットに連れ回りしてしまい、ナットを強固に締め付けることができないおそれがある。
従来の同軸コネクタは、取り付けに際してこのような課題を有していた。
【０００４】
特許文献１及び２は、複数の同軸コネクタを狭い間隔で取り付ける際に用いられるナット締め付け用の治具に関する発明を開示している。しかし、同文献に記載された発明は、上述した事情を想定したものではなく、よって上述した課題を解決できる構成は、同文献に開示も示唆もされていない。
【先行技術文献】
【特許文献】
【０００５】
【特許文献１】特開平９−６３７１５号公報
【特許文献２】米国特許第６４２８３５４号公報
【発明の概要】
【発明が解決しようとする課題】
【０００６】
本発明は、上述した事情に鑑みなされたもので、ナットの締め付けに際して同軸コネクタを被取付対象の裏面側で保持することができない状況下においても、同軸コネクタを被取付対象の正面側から保持して、ナットの締め付け作業を支障なく行うことを可能とした同軸コネクタ保持用治具の提供を第１の目的とする。
さらに、本発明は、複数の同軸コネクタを狭い間隔で取り付ける際にも、上記同軸コネクタ保持用治具との組み合わせをもって、同軸コネクタのねじ部へのナットの締め付け作業を容易且つ適切に行うことができる同軸コネクタ締付用治具の提供を第２の目的とする。
【課題を解決するための手段】
【０００７】
本発明に係る同軸コネクタ保持用治具は、次の構成を備えた同軸コネクタを対象として、その同軸コネクタを被取付対象に取り付ける際に用いられる。
すなわち、取り付けの対象となる同軸コネクタは、外側導体の基部にねじ部を有するとともに、当該外側導体の外周面にロックピンが突き出して設けられた構成を含み、被取付対象の正面側からねじ部にナットを締め付けることで、当該被取付対象に取り付けられる。
【０００８】
そして、本発明に係る同軸コネクタ保持用治具は、上記第１の目的を達成するために、同軸コネクタを保持するための保持用治具本体と、保持用治具本体に形成され、被取付対象の正面側からロックピンに係合する係合部と、を備えたことを特徴とする
【０００９】
既述したように、同軸コネクタを被取付対象（例えば、装置のコネクタ接続部）へ取り付ける際に、被取付対象の裏面側（例えば、装置の内側）から同軸コネクタを保持することができない状況下においても、被取付対象の正面側から同軸コネクタのロックピンに係合部を係合させることで、保持用治具本体により同軸コネクタを保持することができるので、ナットの締め付け作業を支障なく行うことが可能となる。
【００１０】
ここで、保持用治具本体は、外側導体の外周に先端から嵌め合わせる円筒部を有し、係合部は、円筒部の先端から軸方向に延びる溝で形成することができる。
さらに、保持用治具本体は、円筒部の中空部内に、外側導体の先端が当接する当接部を有し、外側導体の先端が当接部に当接したとき、ロックピンが溝の軸方向中間位置に配置されるように、当接部と溝の底部との間の相対位置を設定するとともに、円筒部の先端から当接部までの長さを、外側導体の長さよりも短く設定することが好ましい。
【００１１】
このように構成することで、保持用治具本体の円筒部を、同軸コネクタにおける外側導体の外周に嵌め合わせたとき、ロックピンが保持用治具本体から押圧力を受けることなく、ロックピンと係合部との係合状態を形成することができる。しかも、保持用治具本体により同軸コネクタを保持している間（すなわち、同軸コネクタから伝わる回転トルクを受け止めている間）も、ロックピンは係合部を形成する溝の中間位置におかれるので、ロックピンに回転トルク以外の大きな外力が作用するおそれはない。よって、ロックピンの損傷を回避することができる。また、円筒部の先端が外側導体の基部にあるねじ部や、このねじ部に螺合するナットに衝突するおそれがなく、それらの損傷も回避することができる。
【００１２】
さらに、保持用治具本体は、先端部側に円筒部を有するとともに、基端部側に保持用補助工具を装着するための補助工具装着部を形成することもできる。
このように構成すれば、保持用補助工具によって保持用治具本体を支えた状態で、同軸コネクタから伝わる回転トルクを受け止めることができるので、同軸コネクタの回転を容易に阻止することができる。
【００１３】
また、本発明に係る同軸コネクタ締付用治具は、上述した構成の同軸コネクタ保持用治具とともに用いて、同軸コネクタのねじ部にナットを締め付けることができる同軸コネクタ締付用治具であって、上記第２の目的を達成するために、次の構成を備えたことを特徴とする。
すなわち、本発明に係る同軸コネクタ締付用治具は、保持用治具本体を挿通する中空部を有する筒状の締付用治具本体と、締付用治具本体の先端部側に形成され、ナットに係合するナット係合部と、締付用治具本体の外周面に形成され、当該締付用治具本体を回転させるための締付用工具が係合する締付用工具係合部と、を備えたことを特徴とする。
【００１４】
この同軸コネクタ締付用治具を使用することで、次のような手順をもって同軸コネクタのねじ部にナットを締め付けることができる。まず、人手をもって同軸コネクタのねじ部と螺合したナットに、締付用治具本体のナット係合部を係合させる。次いで、締付用治具本体の締付用工具係合部に締付用工具を係合させ、締付用工具により締付用治具本体を回転操作する。この回転操作に伴い、ナット係合部に係合されたナットが回転して、同軸コネクタのねじ部に締め付けられる。
【００１５】
ここで、締付用工具係合部の形成位置は、次のように設定することが好ましい。すなわち、取付対象となる同軸コネクタの周囲で、被取付対象の正面から別の同軸コネクタが突き出している状況において、締付用工具係合部は、当該別の同軸コネクタの突き出し長さよりも、締付用治具本体の先端から離れた位置に少なくとも形成してある。
これにより、締付用工具係合部に係合させた締付用工具を回転操作する際に、隣接する同軸コネクタへの締付用工具の干渉を回避することができる。
【００１６】
したがって、複数の同軸コネクタを狭い間隔で取り付ける際にも、同軸コネクタのねじ部へのナットの締め付け作業を容易に行うことができる。併せて、同軸コネクタ保持用治具の保持用治具本体を、筒状の締付用治具本体における中空部を挿通してセットできるので、コネクタ保持用治具により同軸コネクタを保持しながら、同軸コネクタ締付用治具を使って適切にナットを締め付け作業を行うことができる。
【００１７】
上述した本発明に係る同軸コネクタ保持用治具と同軸コネクタ締付用治具は、互いに組み合わせて同軸コネクタ取付用治具セットを構成することもできる。
【発明の効果】
【００１８】
以上説明したように、本発明に係る同軸コネクタ保持用治具を用いることで、ナットの締め付けに際して同軸コネクタを被取付対象の裏面側で保持することができない状況下においても、同軸コネクタを被取付対象の正面側から保持して、ナットの締め付け作業を支障なく行うことができる。
さらに、本発明に係る同軸コネクタ締付用治具を用いることで、複数の同軸コネクタを狭い間隔で取り付ける際にも、上記同軸コネクタ保持用治具との組み合わせをもって、同軸コネクタのねじ部へのナットの締め付け作業を容易且つ適切に行うことができる。
【図面の簡単な説明】
【００１９】
【図１】本発明の実施形態に係る同軸コネクタ保持用治具及び同軸コネクタ締付用治具による取り付けの対象となる同軸コネクタを示す一部断面正面図である。
【図２】本発明の実施形態に係る同軸コネクタ保持用治具を示す図で、（ａ）は斜視図、（ｂ）は正面断面図、（ｃ）は平面端面図、（ｄ）は底面端面図である。
【図３】本発明の実施形態に係る同軸コネクタ保持用治具を、同軸コネクタにセットした状態を示す図で、（ａ）は正面断面図、（ｂ）はロックピンの係合部を拡大して示す正面断面図、（ｃ）はロックピンの係合部を拡大して示す側面図である。
【図４】本発明の実施形態に係る同軸コネクタ締付用治具を示す図で、（ａ）は斜視図、（ｂ）は正面断面図、（ｃ）は平面端面図、（ｄ）は底面端面図である。
【図５】本発明の実施形態に係る同軸コネクタ締付用治具を、同軸コネクタにセットした状態を示す正面断面図である。
【図６】本発明の実施形態に係る同軸コネクタ締付用治具の変形例を示す斜視図である。
【図７】本発明の実施形態に係る同軸コネクタ保持用治具と同軸コネクタ締付用治具を、同軸コネクタにセットした状態を示す正面断面図である。
【図８】本発明の実施形態に係る同軸コネクタ保持用治具と同軸コネクタ締付用治具による同軸コネクタの取り付け作業を説明するための図である。
【発明を実施するための形態】
【００２０】
以下、この発明の実施の形態について図面を参照して詳細に説明する。
図１は、本発明の実施形態に係る同軸コネクタ保持用治具及び同軸コネクタ締付用治具による取り付けの対象となる同軸コネクタを示す一部断面正面図である。なお、図面については、図１に示す方向から見た面を正面とするが、本発明の各構成を特定する際には、別の方向から見た面を正面として特定することがある。
【００２１】
同軸コネクタ１０は、電子機器や通信機器などの各種装置に設けられたコネクタ取付部１００（被取付対象）に取り付けられる。このように装置側に取り付けられる同軸コネクタ１０は、同軸レセプタクルコネクタと称することがある。一方、同軸ケーブル３１０の先端に取り付けられて、同軸レセプタクルコネクタに接続する同軸コネクタ１０は、同軸プラグコネクタ３００と称して区別することがある。
【００２２】
取り付けの対象となる同軸コネクタ１０は、基部フランジ１１と、ねじ部１２と、外側導体１３と、ロックピン１４とを備えている。外側導体１３はシェルとも称し、導電性を有する金属で円筒状に形成してある。この外側導体１３には、同軸コネクタ１０と対をなす同軸プラグコネクタ３００の外側導体３０１が嵌め合わされて電気的に接続される。ねじ部１２は、外側導体１３の基部に形成してあり、このねじ部１２にナット１６が螺合する。
【００２３】
基部フランジ１１の裏面側からはリード端子（外部コンタクトともいう）１５が延出しており、このリード端子１５が電子基板２００に半田付けされて、同軸コネクタ１０と電子基板２００とが一体化している。同軸コネクタ１０は、コネクタ取付部１００に取り付けた後に、装置に内蔵した電子基板２００などに接続されることもあるが、本実施形態では、あらかじめリード端子１５を電子基板２００に半田付けして一体化した電子基板モジュールが製作されているものとして説明する。なお、電子基板２００などへの接続するための構成は、リード端子１５に限定されず、各種公知のものが適宜適用される。
【００２４】
ロックピン１４は、外側導体１３の外周面から径方向に突き出して設けられている。本実施形態では、外側導体１３の中心軸に対して対称な２箇所にロックピン１４が設けられている。このロックピン１４は、同軸プラグコネクタ３００の外側導体３０１に形成された案内溝３０２に係合し、案内溝３０２の最深部に設けられたロック位置３０３に配置されることで、同軸プラグコネクタ３００の接続状態を保持する機能を有している。このロックピン１４は、同軸コネクタ１０の外側導体１３に、同軸プラグコネクタ３００の外側導体３０１を嵌め込む操作をもって同時にロック状態を形成できるため、同軸プラグコネクタ３００の接続作業を容易化することができ、多くの汎用性のある同軸コネクタ１０に適用されている。一般に、ロックピン１４により同軸プラグコネクタ３００の接続状態を保持する構成を備えた同軸コネクタ１０は、ＢＮＣコネクタと称されている。
【００２５】
上述した同軸コネクタ１０は、装置の内部側、すなわちコネクタ取付部１００の裏面側に基部フランジ１１を配置し、コネクタ取付部１００に設けた取付孔１０１を通してねじ部１２及び外側導体１３をコネクタ取付部１００の正面１００Ａ側に露出させる。そして、コネクタ取付部１００の正面１００Ａ側からねじ部１２にナット１６を螺合して締め付けることで、同軸コネクタ１０がコネクタ取付部１００に取り付けられる。なお、ナット１６の緩みを防止するために、コネクタ取付部１００の正面１００Ａとナット１６の間にばね座金１７を配置することが好ましい。
【００２６】
図２及び図３は、本実施形態に係る同軸コネクタ保持用治具を説明するための図である。
同軸コネクタ保持用治具２０は、同軸コネクタ１０を装置のコネクタ取付部１００に取り付ける際に、同軸コネクタ１０を保持する機能を有している。本実施形態において、同軸コネクタ保持用治具２０は、鉄鋼などの金属材料で製作してあり、棒状の保持用治具本体２１の先端部側に係合部２３を形成するとともに、基端部側に補助工具装着部２４を形成した構成となっている。
【００２７】
図３に示すように、係合部２３は、装置に設けたコネクタ取付部１００の正面１００Ａ側から同軸コネクタ１０のロックピン１４に係合する機能を有する構成部位である。具体的には、保持用治具本体２１の先端部を円筒部２２で構成し、この円筒部２２に先端から軸方向へ延びる切欠き形状の溝２３が形成してある。円筒部２２は、同軸コネクタ１０における外側導体１３の外周へ軸方向に向かって嵌め合わせることができる内径としてある。溝２３は、円筒部２２の中心軸に対して対称な２箇所に、同軸コネクタ１０のロックピン１４が入り込む幅寸法で形成してある（図２（ｄ）参照）。そして、円筒部２２を同軸コネクタ１０の外側導体１３に嵌め合わせたとき、溝２３に同軸コネクタ１０のロックピン１４が係合する（図３（ｂ）参照）。すなわち、本実施形態では、溝２３が係合部を構成している。保持用治具本体２１は、この溝（係合部）２３を介して同軸コネクタ１０から伝わる回転トルクを受け止めて同軸コネクタ１０の回転を阻止する機能を有している。
【００２８】
本実施形態では、保持用治具本体２１を内周面に段部２５を有する円筒状に形成し、その段部２５を境界として内径の大きな先端側の領域を上述した円筒部２２としてある。さらに、中空部内の段部２５は、円筒部２２に嵌め合わせた外側導体１３の先端が当接する当接部２５を構成している。ここで、図３（ａ）に示すように、保持用治具本体２１の先端から当接部２５までの長さＬ１は、同軸コネクタ１０における外側導体１３の全長よりも短く設定し、外側導体１３の先端が当接部２５に当接した状態のとき、円筒部２２の先端（すなわち、保持用治具本体２１の先端）が、ねじ部１２やねじ部１２と螺合したナット１６に当接しないように調整してある。これにより、保持用治具本体２１の円筒部２２を、同軸コネクタ１０における外側導体１３の外周に嵌め合わせたとき、保持用治具本体２１の先端がねじ部１２やナット１６に衝突してそれらを傷つけてしまうおそれがなくなる。
【００２９】
さらに、当接部２５に外側導体１３の先端が当接した状態で、ロックピン１４が溝２３の軸方向中間位置に配置されるように、当接部２５と溝２３の底部２３ａとの間の相対位置を設定してある。なお、図３（ｂ）に示す本実施形態では、溝２３の底部２３ａと当接部２５とを同じ横断面上に配置してある。このように構成することで、ロックピン１４が保持用治具本体２１から軸方向の押圧力を受けることなく、ロックピン１４と係合部２３との係合状態を形成することができる。
【００３０】
保持用治具本体２１の基端部側に形成した補助工具装着部２４は、Ｌ形レンチなどの保持用補助工具２６を装着するための構成部であり、使用する保持用補助工具２６に対応した装着構造に構成してある。例えば、保持用補助工具２６として、断面が四角形状の係合部を有するＬ形レンチを適用する場合は、当該四角形状の係合部を嵌め合わせることができる角形溝部で、補助工具装着部２４を構成する（図２（ｃ）参照）。なお、汎用性のある断面六角形状のＬ形レンチを保持用補助工具２６に適用する場合は、角形溝部の内周面形状を六角形状に形成すればよい。また、六角形状の穴部で係合部が形成されたメガネレンチを保持用補助工具２６として適用する場合は、六角形状の突起で補助工具装着部２４を形成すればよい。
【００３１】
図４及び図５は、本実施形態に係る同軸コネクタ締付用治具を説明するための図である。
同軸コネクタ締付用治具３０は、同軸コネクタ１０を装置のコネクタ取付部１００に取り付ける際に、同軸コネクタ１０のねじ部１２にナット１６を締め付けるために用いる。本実施形態においては、同軸コネクタ締付用治具３０も、鉄鋼などの金属材料で製作してあり、筒形棒状をした締付用治具本体３１の先端部側にナット係合部３３を形成するとともに、締付用治具本体３１の外周面に締付用工具係合部３４を形成した構成となっている。
【００３２】
同軸コネクタ締付用治具３０は、上述した同軸コネクタ保持用治具２０とともに使用される。そのために、締付用治具本体３１は、一端から他端にかけて貫通する中空部３２を有しており、その中空部３２の内径が保持用治具本体２１を挿通することができる寸法に設定してある。
ナット係合部３３は、締付用治具本体３１の先端部付近における内周面を、ナット１６が嵌合できる形状に加工することで形成してある。一般に、ナット１６の外周面形状は六角形状となっているので、ナット係合部３３も内周面を六角形状に形成すればよい。本実施形態では、六角形状のナット１６を容易に嵌合できるように、２つの六角形を３０°の角度だけ周方向へずらして重ね合わせた多角形状にナット係合部３３の内周面を形成してある（図４（ｄ）参照）。
【００３３】
締付用治具本体３１の先端部には、緩衝部材３５が装着してある。この緩衝部材３５は、金属材料で製作された締付用治具本体に比べて柔らかい合成樹脂などの材料で形成してある。この緩衝部材３５を装着することで、締付用治具本体３１を装置のコネクタ取付部１００に配置したとき、緩衝部材３５がコネクタ取付部１００の表面に当接するので、コネクタ取付部１００の傷付きを防止することができる。
【００３４】
また、締付用工具係合部３４は、締付用治具本体３１を回転操作するための締付用工具３６を係合する構成部であり、使用する締付用工具３６に対応した形状に構成してある。例えば、締付用工具３６としてスパナを適用する場合は、スパナを係合することができる六角形状の外周面に形成すればよい（図４（ｃ）参照）。
【００３５】
図５に示すように、締付用治具本体３１は、装置のコネクタ取付部１００に配置された同軸コネクタ１０のねじ部１２に対してナット１６を螺合する際に、同軸コネクタ１０における外側導体１３と同軸上に配置して、ナット係合部３３にナット１６を嵌め合わせる。この状態で締付用工具３６を締付用工具係合部３４に係合させて、その締付用工具３６を使って締付用治具本体３１を回転操作することで、ナット１６がねじ部１２に締め付けられる。
【００３６】
ここで、図５に示すように、取付対象となる同軸コネクタ１０の周囲で、コネクタ取付部１００の正面１００Ａから別の同軸コネクタ１０Ａが突き出している状況において、締付用工具係合部３４は、当該別の同軸コネクタ１０Ａの突き出し長さＬ２よりも、締付用治具本体３１の先端から離れた領域３４ａに少なくとも形成してある。このような領域３４ａに締付用工具係合部３４を形成することで、同軸コネクタ１０と１０Ａとの間隔が狭い場合であっても、隣接する別の同軸コネクタ１０Ａに干渉することなく締付用工具３６を回転操作することができる。
【００３７】
なお、図６に示すように、締付用治具本体３１の外周すべてを締付用工具係合部３４とすることもできる。このような構成であっても、図５に示した隣接する別の同軸コネクタ１０Ａの突き出し長さＬ２よりも、締付用治具本体３１の先端から離れた領域に締付用工具３６を係合させれば、別の同軸コネクタ１０Ａと干渉することなく締付用工具３６を回転操作することができる。
また、取り付けの対象となった同軸コネクタ１０の周囲から、別の同軸コネクタ１０Ａが突き出していない場合は、締付用工具係合部３４のいずれの位置に締付用工具３６を係合してもよい。
【００３８】
上述した構成の同軸コネクタ保持用治具２０と同軸コネクタ締付用治具３０は、コネクタ取付部１００に配置された同軸コネクタ１０に対し、図７に示すようにセットして使用する。すなわち、コネクタ取付部１００の正面１００Ａから突き出して配置した同軸コネクタ１０のねじ部１２に、ナット１６を人手で緩やかに螺合した後、同軸コネクタ１０の外側導体１３に前端から同軸コネクタ保持用治具２０の円筒部２２を嵌め合わせる。このとき、外側導体１３のロックピン１４に溝（係合部）２３を係合させる。これにより、同軸コネクタ１０を同軸コネクタ保持用治具２０によって保持することができる。
続いて、締付用治具本体３１の中空部３２内に保持用治具本体２１を挿通するようにして、同軸コネクタ締付用治具３０を同軸コネクタ保持用治具２０の外周に配置するとともに、ナット係合部３３にナット１６を係合させる。
【００３９】
このように同軸コネクタ保持用治具２０と同軸コネクタ締付用治具３０をセットした後、図８に示すように、保持用治具本体２１の補助工具装着部２４に保持用補助工具２６を装着する。これにより、同軸コネクタ保持用治具２０と保持用補助工具２６を介して、人手によって同軸コネクタ１０を保持することができる。この保持状態のまま、締付用治具本体３１の締付用工具係合部３４に締付用工具３６を係合し、締付用工具３６を用いて同軸コネクタ締付用治具３０を回転操作することで、ナット１６を締め付けることができる。
【００４０】
なお、本発明は上述した実施形態に限定されるものではなく、種々の変形実施や応用実施が可能であることは勿論である。
例えば、上述した実施形態では、同軸コネクタ保持用治具２０と同軸コネクタ締付用治具３０とを用いて同軸コネクタ１０の取り付け作業を実施したが、取り付けの対象となった同軸コネクタ１０の周囲に、別の同軸コネクタ１０Ａが配置されていない場合は、同軸コネクタ締付用治具３０を省略することもできる。この場合は、同軸コネクタ保持用治具２０により同軸コネクタ１０を保持し、スパナなどの締付用工具３６で直接ナット１６を締め付ければよい。
【符号の説明】
【００４１】
１０：同軸コネクタ、１１：基部フランジ、１２：ねじ部、１３：外側導体、１４：ロックピン、１５：リード端子、１６：ナット、１７：ばね座金、
２０：同軸コネクタ保持用治具、２１：保持用治具本体、２２：円筒部、２３：係合部（溝）、２４：補助工具装着部、２５：段部（当接部）、２６：保持用補助工具、
３０：同軸コネクタ締付用治具、３１：締付用治具本体、３２：中空部、３３：ナット係合部、３４：締付用工具係合部、３５：緩衝部材、３６：締付用工具、
１００：コネクタ取付部（被取付対象）、１００Ａ：正面、１０１：取付孔、
２００：電子基板、
３００：同軸プラグコネクタ、３０１：外側導体、３０２：案内溝、３０３：ロック位置、３１０：同軸ケーブル
【図１】
2018147638.tif 000003
【図２】
2018147638.tif 000004
【図３】
2018147638.tif 000005
【図４】
2018147638.tif 000006
【図５】
2018147638.tif 000007
【図６】
2018147638.tif 000008
【図７】
2018147638.tif 000009
【図８】
2018147638.tif 000010